(57)【特許請求の範囲】
【請求項１】
所定間隔を隔てて対向する直線状のエッジを有し、前記直線状のエッジから遠ざかるに従って幅が縮小する一対の電極により構成される表示電極と、前記表示電極を行方向および列方向に配列して形成した前面基板と、前記表示電極の外周部に沿った内壁により前記表示電極によって励起発光されるセルを画成する隔壁と、前記隔壁を挟んで前記前面基板に対向して配される背面基板とを備えたことを特徴とするプラズマディスプレイ装置。
【請求項２】
表示電極を、半楕円形または半円形の一対の電極により構成したことを特徴とする請求項１に記載のプラズマディスプレイ装置。
【請求項３】
表示電極を、三角形状または台形状の一対の電極により構成したことを特徴とする請求項１に記載のプラズマディスプレイ装置。
【請求項４】
上面視において、セルの配列がデルタ型の蛍光体配列に対応することを特徴とする請求項１〜３のいずれか１項に記載のプラズマディスプレイ装置。
【請求項５】
隔壁をセル毎に分離して形成することにより前記隔壁の外周に排気用の経路を形成したことを特徴とする請求項１〜４のいずれか１項に記載のプラズマディスプレイ装置。
【請求項６】
隔壁を光透過性部材により形成し、排気用の経路を構成する壁面を黒色としたことを特徴とする請求項５に記載のプラズマディスプレイ装置。
【請求項７】
隔壁の幅を表示電極に対応して変化させることにより列方向に連続するセルを画成することを特徴とする請求項３に記載のプラズマディスプレイ装置。
【請求項８】
上面視において、隔壁を格子状に形成したことを特徴とする請求項３に記載のプラズマディスプレイ装置。
【請求項９】
隔壁の高さを１３０μｍ以上としたことを特徴とする請求項１〜８のいずれか１項に記載のプラズマディスプレイ装置。
【請求項１０】
隔壁の高さ方向に突出し、表示電極の一方に対峙する突状誘電体を書き込み電極上に形成したことを特徴とする請求項９に記載のプラズマディスプレイ装置。
【請求項１１】
セルに設けられる蛍光体の下層に反射層を設けることを特徴とする請求項１〜１０のいずれか１項に記載のプラズマディスプレイ装置。
【発明の詳細な説明】
【０００１】
【発明の属する技術分野】
本発明はプラズマディスプレイ装置に関するものであり、特にその表示電極の構造に関する。
【０００２】
【従来の技術】
図１６は、特開平８−２２７２２号公報に記載の交流型プラズマディスプレイ（以下、ＰＤＰと称す）の構成を示す分解斜視図である。４１は行方向に伸長するする櫛歯型の表示電極であり、櫛歯状のエッジを有するＸ、Ｙ電極を対向して配することにより構成される。表示電極４１は、前面基板１１上に形成され、誘電体層１７により覆われている。誘電体層１７の表面には、保護膜としてＭｇＯ膜が形成されている。２９は列方向に平行な直線状の隔壁である。隔壁２９の高さは通常１００〜１５０μｍ程度である。隔壁２９の内壁には蛍光体２８が塗布される。２２は表示電極４１のＸ電極に書き込み放電を行う書き込み電極である。隔壁２９、および書き込み電極２２は、背面基板２１上に形成されている。パネル内には、キセノン、ネオン、ヘリウムなどの希ガスによる混合ガスが封入されており、これを放電ガスとして放電を行うことにより発生される紫外線により蛍光体２８を励起発光する。
【０００３】
以下、ＰＤＰの動作について述べる。まず表示電極４１のＸ電極と書き込み電極２２との間に放電開始電圧を上回る電圧を印加し、書き込み放電を行う。その際、Ｙ電極の電位を適当な値にすることでＸ−Ｙ電極間にも一時的に放電が生じ、両電極の表面に電荷が形成される。書き込み放電により、ＸおよびＹ電極表面に形成される電荷は壁電荷と呼ばれる。書き込み放電後、発光させる領域に対応する表示電極４１のＸ−Ｙ電極間に、放電開始電圧よりも低いパルス電圧を印加すると、書き込み放電により壁電荷が形成された表示電極４１ではＸ−Ｙ電極間に放電が開始される。このＸ−Ｙ電極間の放電は維持放電と呼ばれ、書き込み放電により壁電荷が形成された表示電極４１のみで生じる。この維持放電により放射される紫外線によって蛍光体が励起発光される。
【０００４】
図１７は他の従来例を示す図であり、特開平９−５０７６８号公報に記載されたＰＤＰの構造を示す分解斜視図である。図１７に示すＰＤＰの隔壁２９は、直線ではなく蛇行した形状となっている。このように、蛇行した隔壁２９により放電領域を区画し、列方向の放電の干渉を防ぐことができる。図１７に示すような隔壁２９により区画された放電領域に対応して設けられる発光領域は、一般的にセルと称されている。
【０００５】
【発明が解決しようとする課題】
図１６，１７に示す従来のＰＤＰは上記のような構成を有するため以下のような問題があった。
図１８に表示電極４１の表面で生じる放電の様子を簡略化した概念図を示し、同図に基づいて従来のＰＤＰの問題点について説明する。図１８に示すように、表示電極４１の放電ギャップで生じた放電は、表示電極４１の表面に形成される壁電荷とともに、円または楕円形状を維持しながら放電ギャップから遠ざかる方向に拡大し、隔壁２９の表面で消滅する。隔壁２９の表面で消滅した放電のエネルギーは、蛍光体の発光に寄与することなく熱エネルギーとして損失される。図１７に示すＰＤＰでは、表示電極４１が行方向に配列するセル２７に跨っているので、図１８（ａ）に示すように、放電がセル２７よりも広範囲に拡大する。このため、隔壁２９の表面で消滅する放電のエネルギー損失が大きい。また、図１６に示すＰＤＰでは、セルが列方向に連続しているため、図１８（ｂ）に示すように、放電により生じた紫外線が蛍光体２８の表面に到達するまでの伝搬損失が放電ギャップから列方向に遠ざかるに従い大きくなる。この現象は放電拡がりの小さいアノード（正極）側で顕著である
【０００６】
ＰＤＰは放電を紫外線に変換することにより、蛍光体２８を励起発光させるため、二段階のエネルギー損失を伴う。従来例に示すＰＤＰは、隔壁２９および表示電極４１の形状が放電形状に対応していなかったため、発光に寄与せずに隔壁２９で消滅する放電エネルギーの損失、また、紫外線が蛍光体２８の表面に到達するまでの伝播損失が大きく、発光効率が十分ではなかった。
【０００７】
さらに、従来の一般的なＰＤＰでは、上面視において（前面基板１１から見て）、書き込み電極２２がセルの中央に配置されているため、書き込み電極２２の周囲に形成される電界の影響により放電形状に乱れが生じていた。つまり、書き込み電極２２は金属等の導電性材料で構成されるため、維持放電の際、Ｘ−Ｙ電極間に形成される電界により、書き込み電極２２の周辺には強電界領域が形成される。例えば、維持放電のパルス電圧が１８０Ｖの場合、書き込み電極２２は１８０Ｖと０Ｖの中間の電位となる。この電位を６５Ｖとすると、書き込み電極２２と表示電極４１のＸ、Ｙ電極との間に、それぞれ１１５Ｖ、６５Ｖの電位差が生じ、書き込み電極２２の周囲に強電界が形成される。図１９は、書き込み電極２２の周囲に形成された電界の様子を示す図であり、図２０はこのときの放電形状を示す図である。図１９（ａ）に示すように、書き込み電極２２がない場合、強電界は放電ギャップに集中し、放電ギャップから遠ざかるに従い弱電界が形成される。このときの放電の様子を図２０（ａ）に模式的に示す。これに対し図１９（ｂ）に示すように、維持放電時に書き込み電極２２の周囲に電界が形成されると、放電形状は図２０（ｂ）に示すように扁平に拡大し、放電の拡大に伴い隔壁２９での放電エネルギーの損失が生じる。
【０００８】
ＰＤＰは放電を紫外線に変換した後、蛍光体を励起発光させるので、放電エネルギーの損失は、消費電力に大きく影響する。ＰＤＰにおいて電力の問題は、デバイスの冷却や駆動回路の素子の容量、回路規模に影響を及ぼし、結果的に画質や製造コストを左右する。従来のＰＤＰでは、表示電極４１、隔壁２９、および書き込み電極２２が放電形状を考慮した構成となっていなかったため、放電エネルギーの損失が大きく、蛍光体を励起発光させ可視光に変換するためエネルギー変換効率が低かった。
本発明は上記のような問題に鑑みてなされ、放電エネルギーの損失が少なく、発光効率の高いＰＤＰを提供することを目的とする。
【０００９】
【課題を解決するための手段】
本発明によるプラズマディスプレイ装置は、所定間隔を隔てて対向する直線状のエッジを有し、前記直線状のエッジから遠ざかるに従って幅が縮小する一対の電極により構成される表示電極と、前記表示電極を行方向および列方向に配列して形成した前面基板と、前記表示電極の外周部に沿った内壁により前記表示電極により励起発光されるセルを画成する隔壁と、前記隔壁を挟んで前記前面基板に対向して配される背面基板とを備えたものである。
【００１０】
また、表示電極を、半楕円形または半円形の一対の電極により構成したものである。
【００１１】
また、表示電極を、三角形状または台形状の一対の電極により構成したものである。
【００１２】
また、上面視において、セルの配列がデルタ型の蛍光体配列に対応するものである。
【００１３】
また、隔壁をセル毎に分離して形成することにより前記隔壁の外周に排気用の経路を形成したものである。
【００１４】
また、隔壁を透明、または半透明の部材により形成し、排気用の経路を構成する壁面を黒色としたものである。
【００１５】
また、隔壁の幅を表示電極に対応して変化させることにより列方向に連続するセルを画成するものである。
【００１６】
また、上面視において、隔壁を格子状に形成することにより四角形のセルを画成するものである。
【００１７】
また、上面視において、セル中央から行方向に偏在する書き込み電極を有するものである。
【００１８】
また、隔壁の高さを１３０μｍ以上としたものである。
【００１９】
また、隔壁の高さ方向に突出し、表示電極の一方に対峙する誘電体からなる突起を書き込み電極上に形成したものである。
【００２０】
また、セルに設けられる蛍光体の下層に反射層を設けたものである。
【００２１】
また、本発明によるプラズマディスプレイ装置は、所定間隔を隔てて対向する直線状のエッジを有する一対の矩形状の電極により構成される表示電極と、前記表示電極を、行方向および列方向に配列して形成した前面基板と、前記表示電極の外周部に沿った内壁により前記表示電極によって励起発光されるセルを画成する隔壁と、前記隔壁を挟んで前記表示電極に対向して配列される背面基板とを備えたものである。
【００２２】
また、隔壁をセル毎に分離して形成することにより前記隔壁の外周に排気用の経路を形成したものである。
【００２３】
また、上面視において、セル端部を通過する列方向に平行な直線部、および前記直線部から行方向に突出し、表示電極の一方に対向する凸部からなる書き込み電極を有するものである。
【００２４】
また、隔壁の高さを１３０μｍ以上としたものである。
【００２５】
また、隔壁の高さ方向に突出し、表示電極の一方に対峙する突状誘電体を書き込み電極の凸部上に設けたものである。
【００２６】
また、セルに設けられる蛍光体の下層に反射層を設けたものである。
【００２７】
【発明の実施の形態】
以下、本発明によるＰＤＰの一実施形態を、図面に基づいて説明する。尚、従来と同一、または相当する構成については、同一符号を付して説明を省略する。
【００２８】
本発明の実施の形態に関わるＰＤＰは、表示電極４１を放電ギャップから円または楕円状に拡大する放電形状（図１８に示す）に対応して形成するとともに、隔壁２９の内壁を拡大した放電が終了する表示電極の外周部に沿って形成することにより、放電が紫外線を発生することなく隔壁で消滅するのを防ぎ、発生した紫外線を蛍光体に効率よく到達させることにより蛍光体の発光効率を向上させるものである。また、書き込み電極をセル端に配設することにより、書き込み電極の周囲に形成される電界の影響を抑え、図２０（ａ）に示すような理想的な放電形態を得るものである。
【００２９】
実施の形態１．
図１は実施の形態１によるＰＤＰの構成を示す上面図とその断面図である。本実施の形態によるＰＤＰは、表示電極４１を放電形状に対応した楕円形にするとともに、隔壁２９の内壁を放電が終了する表示電極４１の外周部に沿った楕円形とするものである。２７は隔壁２９により画成されるセルである。セル２７の内壁には断面図に示すように、蛍光体２８が塗布されている。書き込み電極２２は、セル中央から偏在したセル端に配設されている。４２は表示電極４１に電圧を印加する母電極である。表示電極４１は断面図に示すように、前面基板１１上に形成され、母電極４２とともに誘電体層１７により覆われている。書き込み電極２２は背面基板２１上に形成されており、蛍光体２８からの発光を反射する白色の誘電体材料からなるオーバーグレーズ層１６によって覆われている。隔壁２９の上面部はコントラストを高めるために黒色に形成されている。１３は、誘電体層１７上に設けられたスペーサー層であり、放電の広がりを防ぐとともに、プライミング効果を高めるために設けられる。断面図に示すように、表示電極４１の間隔ｇ’は、放電ギャップｇよりも大きく構成されており、表示電極４１間の静電容量を低減している。また、隔壁２９が行毎に分離されているため、書き込み電極２２と表示電極４１との間の静電容量が低減される。
【００３０】
図１に示す構成によれば、放電ギャップで生じた放電は表示電極４１の表面を円、または楕円状に拡大し、表示電極４１の外周部で終了する。隔壁２９の内壁は、表示電極４１の外周部に沿った楕円形に構成されているので、拡大した放電は、隔壁２９で消滅することなく表示電極４１の外周部において終了する。従って、放電が発光に寄与することなく隔壁２９で消滅するのを防ぐとともに、放電により発生する紫外線を効率的に蛍光体２８に到達させることができる。さらに、書き込み電極２２をセル端に配することにより、維持放電の際、書き込み電極２２に形成される電界によって表示電極４１の放電形状が乱されるのを防ぐことができる。これにより、図２０（ａ）に示す理想的な放電形状、つまり、表示電極４１の放電ギャップ間に強電界が集中し、その周囲に紫外線放射効率が高い弱電界が形成される発光効率の高い放電形状を得ることができる。上記の構成によれば、隔壁２９の側壁付近に弱電界が形成されるので、蛍光体２８の発光効率を向上させることができる。また、書き込み電極２２と表示電極４１とが重なる面積が小さくなるため、両電極間の静電容量を低減することができる。
【００３１】
ここで、本実施の形態によるＰＤＰにおける蛍光体２８の配列方法の一例を図２に示す。同図に示す蛍光体の配列はカルテット配列と呼ばれる方式で、図２（ａ）の場合は正方形内にＲＧＧＢ，図２（ｂ）の場合はＲＧＢＷ（Ｗは白色である）の４色のセルにより単位画素が構成される。また、他の例としては、図３に示すように、ＲＧＢをＬ字状に配列して単位画素を構成するモザイク配列がある。図３（ａ）、（ｂ）、（ｃ）は、Ｌ字状に配列された単位画素の配置パターンを示しており、それぞれ縦横３×３、２×３、４×３の配列パターンを示したものである。本実施の形態において、表示電極４１は放電形状に対応した楕円形のため、セル２７の縦横比が１：１に近い。こうした構成においては、図２、３に示すカルテット配列、またはモザイク配列といった、ＲＧＢを行および列方向に配列して１画素を構成する蛍光体配列を採用することにより、解像度を効果的に向上させることができる。
【００３２】
隔壁２９は、図４に示すように構成してもよく、このように切れ込みを入れた構成とすることで、ガス封入前の真空排気を容易にし、基板の反りを防止することができる。
【００３３】
また、隔壁２９を黒色とした場合は、図５に示すように隔壁２９と蛍光体２８との間に反射層２５を設けてもよい。蛍光体２８から出射した光は、隔壁２９、およびオーバーグレーズ層１６にも入射するので、蛍光体２８の下層に反射層２５を設けることにより、蛍光体２８の発光効率を高めることができる。反射層２５は、酸化マグネシウム、酸化チタン、酸化アルミニウム、酸化亜鉛などの白色の酸化物粒子を用いて、スクリーン印刷により形成することができる。
【００３４】
また、誘電体層１７の保護膜としてアモルファスＭｇＯ、または、ＭｇＯにＣｅ、Ｙ、Ｇｄなどの希土類の酸化物を混合した材料を用いることにより結晶ＭｇＯの二次電子放出率γを小さくし、放電拡大傾向を抑制し弱電界領域における電流を小さくすことができる。二次電子放出率γを小さくするために、ガンマ効果の高いＨｅ、Ｎｅに対してγ効果の小さいＸｅの分圧比を高めてもよい。
【００３５】
尚、実際の放電形状はガス圧力やガス組成等により異なるので、表示電極４１の寸法や詳細な形状はこれらの条件に応じて決定する。図６に示すように表示電極４１を三角形状の一対の電極により構成し、セル２７の形状を表示電極４１の外周に沿った菱形状としてもよい。また、表示電極４１は六角形、あるいは八角形等の一般的な多角形状を有する電極によって構成し、セル２７を表示電極４１の外周に沿って形成しても同様の効果を得ることができる。
【００３６】
実施の形態２．
図７は、実施の形態２によるＰＤＰの構成を示す上面図である。本実施の形態によるＰＤＰは同図に示すように、表示電極４１を台形状の電極により構成し、隔壁２９の幅を表示電極４１の形状に対応して変化させることにより、列方向に連続した菱形のセルを画成するものである。隔壁２９の幅は、放電ギャップ付近において狭く、列方向に隣接するセル間において広く形成されている。このように、隔壁２９の幅を放電ギャップと、セル間とで変化させることにより、台形状の電極により構成される表示電極４１の外周形状に沿った菱形状のセルを画成するとともに、列方向に延びる排気用の経路を確保することができる。
【００３７】
実施の形態３．
図８は実施の形態３によるＰＤＰの構成を示す上面図である。本実施の形態によるＰＤＰは同図に示すように、セルを行毎に交互にずらして配列することによりセルを高密度化し、輝度を向上させるものである。同図に示す構成において、書き込み電極２２は、１ライン毎にセルの左端と右端とを交互に貫くように配されている。本実施の形態によるＰＤＰにおいて、各セルに塗布される蛍光体２８を、ＲＧＢの一組が三角形に並ぶように塗り分けると、いわゆるデルタ配列となる。デルタ配列を採用した場合、駆動方法は、例えば偶数ラインと奇数ラインを別々に表示するインターレス駆動を用いることができる。すなわち、偶数ラインまたは奇数ラインのみで書き込み放電を行ない、選択されたラインのみで維持放電を行なって偶数フィールド、あるいは奇数フィールドを構成することで１フィールドを形成し、偶数奇数の２フィールドで１フレームを形成する。
【００３８】
図９は、本実施の形態によるＰＤＰの他の構成を示す上面図である。図９は、表示電極４１を略三角形とした場合の例である。母電極４２はセル２７を避けて隔壁２９に沿って蛇行して形成されている。ここで、隔壁２９のうち母電極４２が形成されていない部分については、その幅を狭く形成してもよい。隔壁２９の幅を狭くすることにより非発光領域を減少させ、輝度をさらに向上させることができる。
【００３９】
図１０は本実施の形態による他のＰＤＰの構成を示す上面図である。本実施の形態によるＰＤＰは同図に示すように、表示電極４１を三角形、または台形の電極により構成し、隔壁２９を格子状に形成することで表示電極４１の外周形状に沿った正方形のセルを画成するものである。
【００４０】
実施の形態４．
図１１は実施の形態４によるＰＤＰの構成を示す図である。図１１に示すように、隔壁２９をセル毎に独立して形成することにより、隔壁２９の周囲に排気経路５０を形成することができる。このようにセル毎に分離された隔壁２９の周囲に排気経路５０を形成することにより、排気路が２次元方向に形成されるため、排気時の真空度が改善され、パネル内清浄度が高まる。また、各セルの外周部の真空度を高めることにより、隔壁２９と誘電体層１７との隙間が数μｍ程度と小さくてもセル内の排気を十分に行なうことが可能である。また、図１２に示すように、排気経路５０を構成する壁面を黒色としてもよい。隔壁２９は、透明、または半透明の光透過性部材により構成されているので、排気経路を構成する壁面のみを黒色とすることで、蛍光体２８から隔壁２９に入射した光を隔壁２９の上面から出射させることにより輝度を高めるとともに、コントラストを高めることができる。
尚、本実施の形態による構成は、実施の形態１に示すように、セル２７を楕円形状、または菱形状とした場合にも適用することができる。
【００４１】
実施の形態５．
図１３は実施の形態５によるＰＤＰの構成を示す図である。本実施の形態によるＰＤＰは、表示電極４１を矩形状とし、これに沿って隔壁２９を直線状に形成するとともに、誘電体により形成される凸状部材１５によりセルを列方向に区分し、表示電極４１に沿った矩形状のセルを形成するものである。隔壁２９、および誘電体１５により画成されるセルの内壁には、Ｗ−Ｗ’断面図に示すように、蛍光体２８が列方向に連続してストライプ状に塗布されている。また、セル端に設けられた書き込み電極２２には、表示電極４１のＸ電極毎に、行方向に突出する凸部が形成されており、この凸部により書き込み放電が行われる。
【００４２】
段差により区画された発光領域内に塗布される蛍光体２８は球形状の放電形状に対応して、すり鉢状となるように形成されることが望ましい。
尚、隔壁２９により矩形状の表示電極４１の外周部に沿った略矩形状のセルを構成してもよい。また、図１４に示すように表示電極４１を構成するＸ、Ｙ電極をＴ字形としてもよい。
【００４３】
実施の形態６．
書き込み電極２２をセル端に配置した場合、表示電極４１と蛍光体２８との間隔を大きくすることにより、発光効率が向上した。例えば、書き込み電極をセル中央に配した場合、隔壁２９の高さが約１５０μｍで輝度が最大となり飽和するのに対し、書き込み電極２２をセル端に配設した場合、隔壁２９の高さが３００μｍとなるまで輝度が上昇した。このとき用いた封入ガスは、Ｎｅ９５％，Ｘｅ５％の混合ガスで、圧力は常温で６６ｋＰａ、また、表示電極４１の放電ギャップは７０〜１００μｍである。
【００４４】
しかし、表示電極４１と蛍光体２８との距離を広げた場合、表示電極４１と書き込み電極２２との間の間隔が大きくなるため、書き込み放電の際の放電開始電圧が上昇する問題が生じる。実施の形態６は、表示電極４１と書き込み電極２２との距離を大きくした場合においても容易に書き込み放電を行うことが可能なＰＤＰの構成に関するものである。
【００４５】
図１５は本実施の形態によるＰＤＰの構成を示す上面図およびその断面図である。図１５において、３１は書き込み電極２２の上に隔壁２９の高さ方向に形成された凸型の誘電体であり、その表面は蛍光体２８に覆われている。図１５のＶ−Ｖ’断面図に示すように、凸型の誘電体３１を書き込み電極２２と表示電極４１との間に設けることで、両者の放電距離を等価的に縮小し、書き込み放電を容易に行うことができる。この凸型の誘電体３１は、隔壁２９と同一の材料を用い、プレス成形などの方法により隔壁２９と同時に作製することも可能である。また、凸型の誘電体３１は隔壁２９と一体に成形してもよい。また、上面視形状によるセル形状の大きさに比して隔壁２９を高く構成した場合、蛍光体２８の表面形状を放電の断面形状に対応したすり鉢状とすることが望ましい。
【００４６】
図１５に示す構成を採用して隔壁２９の高さを伸長することにより、蛍光体２８の発光効率を向上させるとともに、表示電極４１と書き込み電極２２との間に生じる静電容量を低減することができる。また、表示電極４１と蛍光体２８との距離が十分でない場合、放電と蛍光体２８との間の相互作用により、放電開始電圧が蛍光体色ごとに異なるといった問題が生じるが、本実施の形態による構成を採用することで、このような問題を解消することができる。
【００４７】
【発明の効果】
本発明によるプラズマディスプレイ装置は、所定間隔を隔てて対向する直線状のエッジを有し、エッジから遠ざかるに従い幅が縮小する一対の電極により表示電極を構成し、表示電極の外周部に沿った内壁を有する隔壁により、表示電極により励起発光されるセルを画成するので、放電により生じる紫外線を効率的にセル表面の蛍光体に伝搬させることにより、発光効率を向上させることができる。
【００４８】
また、矩形状の一対の電極により表示電極を構成し、この表示電極の外周部に沿った内壁を有する隔壁によりセルを画成するので、隔壁における放電エネルギーの損失を低減することにより発光効率を向上させることができる。
【図面の簡単な説明】
【図１】  実施の形態１によるプラズマディスプレイ装置の一例を示す上面図および断面図である。
【図２】  実施の形態１によるプラズマディスプレイ装置に適用される蛍光体配列の一例を示す図である。
【図３】  実施の形態１によるプラズマディスプレイ装置に適用される蛍光体配列の一例を示す図である。
【図４】  実施の形態１によるプラズマディスプレイ装置における隔壁の一例を示す図である。
【図５】  反射層を用いたプラズマディスプレイ装置の一例を示す断面図である。
【図６】  実施の形態１によるプラズマディスプレイ装置の一例を示す上面図である。
【図７】  実施の形態２によるプラズマディスプレイ装置の一例を示す上面図である。
【図８】  実施の形態３によるプラズマディスプレイ装置の一例を示す上面図である。
【図９】  実施の形態３によるプラズマディスプレイ装置の一例を示す上面図である。
【図１０】  実施の形態３によるプラズマディスプレイ装置の一例を示す上面図である。
【図１１】  実施の形態４によるプラズマディスプレイ装置の一例を示す上面図である。
【図１２】  実施の形態４によるプラズマディスプレイ装置の一例を示す上面図である。
【図１３】  実施の形態５によるプラズマディスプレイ装置の一例を示す上面図および断面図である。
【図１４】  実施の形態５によるプラズマディスプレイ装置の一例を示す上面図である。
【図１５】  実施の形態６によるプラズマディスプレイ装置の一例を示す上面図および断面図である。
【図１６】  プラズマディスプレイ装置の構成を示す図である。
【図１７】  プラズマディスプレイ装置の構成を示す図である。
【図１８】  プラズマディスプレイ装置の放電形状を示す図である。
【図１９】  プラズマディスプレイ装置の電界分布を示す図である。
【図２０】  プラズマディスプレイ装置の放電形状を示す図である。
【符号の説明】
１１  前面基板，１６  オーバーグレーズ層，１５  誘電体，１７  誘電体層，２１  背面基板，２２  書き込み電極，２５  反射層，２７  セル，２９  隔壁，３１  誘電体，４１  表示電極，４２  母電極，５０  排気経路。
【図１】
0004069583.tif 000002
【図２】
0004069583.tif 000003
【図３】
0004069583.tif 000004
【図４】
0004069583.tif 000005
【図５】
0004069583.tif 000006
【図６】
0004069583.tif 000007
【図７】
0004069583.tif 000008
【図８】
0004069583.tif 000009
【図９】
0004069583.tif 000010
【図１０】
0004069583.tif 000011
【図１１】
0004069583.tif 000012
【図１２】
0004069583.tif 000013
【図１３】
0004069583.tif 000014
【図１４】
0004069583.tif 000015
【図１５】
0004069583.tif 000016
【図１６】
0004069583.tif 000017
【図１７】
0004069583.tif 000018
【図１８】
0004069583.tif 000019
【図１９】
0004069583.tif 000020
【図２０】
0004069583.tif 000021